(57)【特許請求の範囲】
【請求項１】
雨樋の吊金具を介して折板屋根の山部から吊下手段で下垂される雨樋取付構造であって、
前記吊下手段は垂直材と補強斜材から成り、前記垂直材は丸棒材で両端部に形成された雄ネジ部が前記吊金具と山部を貫通してそれぞれ一対のナットで固定され、
前記補強斜材は帯状板で形成され上端部が前記垂直材の上端部から離れた位置で水平部を備えるとともに、この水平部が前記山部にボルト・ナット等の固着具を介して固着され、前記補強斜材の下端部に前記垂直材を保持する保持部が前記垂直材を囲む短円筒形状で設けられ、且つ
前記補強斜材の水平部が前記山部の内法と同じ幅で形成されることを特徴とする雨樋取付構造。
【請求項２】
請求項１に記載の雨樋取付構造であって、前記保持部は短円筒形状の全周の略１／４円弧領域を切欠いて形成されることを特徴とする雨樋取付構造。
【請求項３】
請求項１又は請求項２に記載の雨樋取付構造であって、前記保持部は上下二組設けられることを特徴とする雨樋取付構造。
【発明の詳細な説明】
【技術分野】
【０００１】
本発明は、建築物の折板屋根に取付けられる雨樋取付構造に関し、詳しくは、折板屋根から吊下げる大型雨樋が施工時や強風時に揺れないように安定させる雨樋取付構造に関する。
【背景技術】
【０００２】
従来、大型雨樋を折板屋根に取付ける方法として吊下手段を用いる構造が知られている。このような雨樋取付構造は例えば特許文献１に開示されている。
【０００３】
図９（ａ）、（ｂ）に示すように、特許文献１の雨樋取付構造１は、折板屋根７に取付けられる垂直材２と、雨樋６を吊るための吊金具３と、吊金具３の屋外側雨樋吊部３２と垂直材２の上端部に取付けられる補強斜材４と、垂直材２の上端部と下端部に取付けられるそれぞれ一対のナット５とから成る。
【０００４】
垂直材２は、金属製の吊りボルトで、上端部と下端部とにネジが切られている。吊金具３は、金属製の帯状体で、長手方向のほぼ中央部に垂直材２を差し込む貫通孔３１が開けられ、屋外側の端部に前記屋外側雨樋吊部３２と屋内側の端部に屋内側雨樋吊部３３とが設けられている。
【０００５】
屋外側雨樋吊部３２はバネ片３２１と受片３２２とからなり、雨樋６の屋外側耳部６１を屋外側雨樋吊部３２に嵌めると、受片３２２で屋外側耳部６１を受けるとともにバネ片３２１で屋外側耳部６１が押圧される。また、屋外側雨樋吊部３２の上面の内側コーナー部にスリット状の係止孔３４が長手方向に開けられる。
【０００６】
補強斜材４の下端部の両側部の相対した位置に切欠部４１、４１が設けられる。補強斜材４の上端部の端縁から細長い切込部４２が設けられ、この切込部４２の両内側面には一定間隔で相対する切欠部４３、４３が設けられる。
【０００７】
このため、係止孔３４に補強斜材４の下端部を差し込んで、両側部の切欠部４１、４１間に挟まれた部分を軸にして補強斜材４を９０°回動すると、切欠部４１、４１より下端部が係止孔３４に直交して引っ掛けられるので、補強斜材４によって屋外側雨樋吊部３２を吊ることができる。
【０００８】
さらに、細長い切込部４２を垂直材２に差し込み、両側の切欠部４３、４３間に垂直材２を嵌め、２個のナット５で補強斜材４の上端部と折板屋根７とを締め付ける。このように、吊金具３の屋外側雨樋吊部３２を吊るための補強斜材４により垂直材２を補強することができる。
【０００９】
なお、吊金具３の屋外側雨樋吊部３２の上面から折板屋根７の下面までの長さに応じて、補強斜材４の上端部を屈曲させることで補強斜材４の長さを調節することができる。
【特許文献１】特開２０００−３２８７３８号公報
【発明の開示】
【発明が解決しようとする課題】
【００１０】
ところが、屋外側雨樋吊部３２に係止孔３４、補強斜材４の下端部に切欠部４１、補強斜材４の上端部に切込部４２及び切欠部４３をそれぞれ設ける必要があるので、加工が複雑でコスト高であるという問題があった。さらに、補強斜材４の上端部は垂直材２とともに折板屋根７の山部に一点支持で取付けられる構成なので、施工時にボルトが揺れやすく且つ撓み易いので組立て施工が困難であり、さらに、施工後に強風でボルトが変形してしまうという問題があった。
【００１１】
そこで、本発明はかかる従来技術の問題に鑑みなされたものであって、簡単な構造で取付が容易な吊下手段を用いて、施工時や強風時でも揺れにくく且つ変形し難い安定した雨樋取付構造を提供することを目的とする。
【課題を解決するための手段】
【００１２】
請求項１の発明は、雨樋の吊金具を介して折板屋根の山部から吊下手段で下垂される雨樋取付構造であって、前記吊下手段は垂直材と補強斜材から成り、前記垂直材は丸棒材で両端部に形成された雄ネジ部が前記吊金具と山部を貫通してそれぞれ一対のナットで固定され、前記補強斜材は帯状板で形成され上端部が前記垂直材の上端部から離れた位置で水平部を備えるとともに、この水平部が前記山部にボルト・ナット等の固着具を介して固着され、前記補強斜材の下端部に前記垂直材を保持する保持部が前記垂直材を囲む短円筒形状で設けられ、且つ前記補強斜材の水平部が前記山部の内法と同じ幅で形成されることを特徴としている。
【００１３】
請求項２の発明は、請求項１に記載の雨樋取付構造であって、前記保持部は短円筒形状の全周の略１／４円弧領域を切欠いて形成されることを特徴としている。
【００１５】
請求項３の発明は、請求項１又は請求項２に記載の雨樋取付構造であって、前記保持部は上下二組設けられることを特徴としている。
【発明の効果】
【００１６】
請求項１記載の発明によれば、雨樋の吊金具を介して折板屋根の山部から吊下手段で下垂される雨樋取付構造であって、前記吊下手段は垂直材と補強斜材から成り、前記垂直材は丸棒材で両端部に形成された雄ネジ部が前記吊金具と山部を貫通してそれぞれ一対のナットで固定され、前記補強斜材は帯状板で形成され上端部が前記垂直材の上端部から離れた位置で水平部を備えるとともに、この水平部が前記山部にボルト・ナット等の固着具を介して固着され、前記補強斜材の下端部に前記垂直材を保持する保持部が前記垂直材を囲む短円筒形状で設けられるので、雨樋は前記垂直材と前記補強斜材によって折板屋根に二点支持される。このため、吊下手段は雨樋の横方向に対して施工時や強風時でも揺れにくく且つ変形しにくくなり確実に安定する。また、構造が簡単なのでコストダウンができる。
また、前記補強斜材の水平部が前記山部の内法と同じ幅で形成されるので、前記補強斜材の水平部を前記山部の内法に沿わせるだけで水平部を取付位置までガイドしてスライド合わせができるので取付作業が容易である。また、水平部を前記山部の内法によってガタつかないように保持できるので、雨樋の縦方向に対する前記垂直材の揺れを防止して安定させることができる。
【００１７】
請求項２記載の発明によれば、請求項１に記載の雨樋取付構造であって、前記保持部は短円筒形状の全周の略１／４円弧領域を切欠いて形成されるので、前記保持部を予め前記垂直材に挿入させておく必要がない。このため、前記垂直材を折板屋根に取付けた後でも前記保持部の取付けが可能なので、取付簡単であるとともに、作業工程に柔軟性が生じるので作業性が向上する。
【００１９】
請求項３記載の発明によれば、請求項１又は請求項２に記載の雨樋取付構造であって、前記保持部は上下二組設けるので前記保持部において前記垂直材を二点支持できる。このため、前記垂直材をさらに安定させることができる。
【発明を実施するための最良の形態】
【００２０】
＜雨樋取付構造の構成＞  
以下に、本発明の第１の実施形態を図１〜図６に基づいて説明する。
【００２１】
図１、図２に示すように、本発明の雨樋取付構造１１は雨樋１２の吊金具１３を介して折板屋根１４の山部１４ａから吊下手段１５で下垂される雨樋取付構造である。
【００２２】
雨樋１２は断面凹形状で、上端部にそれぞれ屋外側雨樋吊部としての凹状の耳部１２ａと屋内側雨樋吊部としての凸状の耳部１２ｂとを備える。吊金具１３は中央部１３ｃが略水平で両端にかけて隆起し、両端部にフック状の耳保持部１３ａと耳保持部１３ｂが形成される。そして、雨樋１２は耳部１２ａと耳部１２ｂがそれぞれ吊金具１３の耳保持部１３ａと耳保持部１３ｂに保持された状態で吊下手段１５により折板屋根１４に下垂される。
【００２３】
吊下手段１５は垂直材１６と補強斜材１７から成り、垂直材１６は直径Ｒ＝９．５２５ｍｍ（ウイットネジＷ３／８）の全ネジ丸棒材で上端部１６ａと下端部１６ｂに形成された雄ネジ部１６ｃが山部１４ａと吊金具１３の中央部１３ｃとを貫通し、それぞれ一対のナット１８で山部１４ａと吊金具１３に固定される。ここで、山部１４ａの外側には垂直材１６が山部１４ａを貫通するための貫通孔１４ｃからの雨水の漏れを防止するとともに振動を吸収するためのパッキン１９が挿入される。
【００２４】
補強斜材１７は帯状板で形成され、斜主部材１７eの上端部１７ａが垂直材１６の上端部１６ａから離れた位置で水平部１７ｂを備えるとともに、この水平部１７ｂは山部１４ａにボルト・ナット等の二組の固着具２０を介して固着される。また、斜主部材１７eの下端部１７ｃに延設される垂直部１７ｄに、垂直材１６のできるだけ下方部分を保持する二組の保持部２１が垂直材１６を囲む短円筒形状で設けられる。
【００２５】
図３、図４、図５、図６に示すように、補強斜材１７は厚さ２ｍｍで、水平部１７ｂと垂直部１７ｄが角度α＝９０度であり、水平部１７ｂの長さＬ１＝５０ｍｍ、垂直部１７ｄの長さＨ１＝４２ｍｍに形成される。また、水平部１７ｂと垂直部１７ｄとの垂直方向の間隔がＨ２＝７８ｍｍで、水平方向の間隔がＬ２＝６６ｍｍで形成される。このため、斜主部材１７eは垂直部１７ｄに対して角度β＝略４０度である。
【００２６】
水平部１７ｂを含む帯状の補強斜材１７の幅は山部１４ａの内法と同じ幅Ｓ＝２５ｍｍで形成される。水平部１７ｂには直径１０ｍｍの取付孔Qが長さL３＝２０ｍｍの間隔で二箇所設けられる。
【００２７】
保持部２１は円弧部２２とこの円弧部を固定するベース２３を備える。保持部２１の円弧部２２は高さＴ１＝１４ｍｍの短円筒形状で、全周の略１／４円弧領域を切欠いて二組形成され、その中間部にベース２３を挟んで一体的に連続形成される。上下方向の全長Ｔ＝４０ｍｍである。
【００２８】
円弧部２２の断面形状は内半径Ｇ１の円弧で開口部２１ｃを受入幅Ｇ２で備えるとともに、この開口部２１ｃは、さらに外側にカールする小弧状の受入ガイド部２１ｄを備えている。
【００２９】
ここで、円弧部２２は、中心Ｑ１に対して内半径Ｇ１＝３．９ｍｍで形成される、このため、直径Ｒ＝９．５２５ｍｍの垂直材１６を挿入した際に（Ｇ１ｘ２）＜Ｒであるため垂直材１６を確実に安定して保持することができる。なお、中心Ｑ１はベース２３の垂直二等分線上に位置するように配置される。
【００３０】
受入ガイド部２１ｄの受入幅Ｇ２＝５．９ｍｍは垂直材１６を離脱しないように保持するために、垂直材１６の直径Ｒ＝９．５２２ｍｍよりも狭く、Ｇ２＜Ｒの関係に形成される。また、受入ガイド部２１ｄの幅Ｇ３＝８．４ｍｍは受入幅Ｇ２より広く形成されるので、垂直材１６を容易に宛がって誘導することができる。（Ｇ３＞Ｇ２）
ベース２３は幅Ｓ１＝２０ｍｍで上下方向の長さがＴ２＝１０ｍｍで、上下の円弧部２２に対してＴ３≒１ｍｍの間隙で設けられる。ベース２３には２組の取付用の孔Ｑ２が設けられ、図示しないビス等で垂直部１７ｄに固着される。
【００３１】
吊下手段１５及び吊金具１３の材質は、強度を必要とするのでステンレスや亜鉛メッキをした金属等が用いられる。
【００３２】
＜雨樋取付構造の作用＞
上記のように、雨樋１２は垂直材１６と補強斜材１７からなる吊下手段１５によって折板屋根１４に２点支持されるため、吊下手段１５を揺れにくく且つ撓みにくい構造にできるので、吊下手段１５が雨樋の横方向に対して施工時や強風時でも揺れにくく且つ変形しにくくなり確実に安定する。また、構造が簡単なのでコストダウンが図れる。
【００３３】
保持部２１は短円筒形状の全周の略１／４円弧領域を切欠いて形成されるので、保持部２１を予め垂直材１６に挿入させておく必要がなく、垂直材１６を折板屋根１４に取付けた後でも保持部２１の取付が可能なので、取付簡単であるとともに、作業工程に柔軟性が生じるので作業性が向上する。
【００３４】
補強斜材１７の水平部１７ｂの幅が山部１４ａの内法と同じ幅Ｓ＝２５ｍｍで形成されるので、補強斜材１７の水平部１７ｂを山部１４ａの内法に沿わせるだけで水平部１７ｂを取付位置までガイドしてスライド合わせができるので取付作業が容易である。また、水平部１７ｂを山部１４ａの内法によってガタつかないように保持できるので、雨樋の縦方向に対する垂直材の揺れを防止して安定させることができる。
【００３５】
＜本発明の第２の実施形態＞
以下に、本発明の第２の実施形態を図７、図８に基づいて説明する。なお、図５、図６に示した保持部２１と同じ構成部分については、図面に同符号を付して重複した説明を省略する。
【００３６】
図７、図８に示すように、保持部２１ａは垂直材１６を囲む内直径Ｇ＝略１０ｍｍ、全長Ｔ＝４０ｍｍの短円筒形状部２２ａであり、この短円筒形状部２２ａを固定するベース２３ａを備える。
【００３７】
この形状であれば、保持部２１ａが短円筒形状の全周の略１／４円弧領域を切欠いて形成される第一の実施形態に比べて強度が増加するので垂直材１６をさらに安定して保持することができる。なお、垂直材１６を折板屋根１４に取付ける前に保持部２１ａを予め垂直材１６に嵌入しておく必要がある。
【００３８】
以上、本発明の実施形態を図面に基づいて説明したが、上記の実施例はいずれも本発明の一例を示したものであり、本発明はこれらに限定されるべきでないということは言うまでもない。
【００３９】
たとえば、保持部２１は上下二組設ける代わりに一組の保持部２１でも構わない。この場合、保持部２１の高さを少し高目にすると保持力が補えるので好ましい。保持部２１のベース２３を垂直部１７ｄに固着する方法は、取付用の孔Ｑ２を設ける代わりに、ベース２３と垂直部１７ｄにスポット高電圧を掛ける溶融圧着による固着でも構わない。また、他の様々な断面形状を有する雨樋に対しても上記実施例と同様の構成を実施することができる。
【図面の簡単な説明】
【００４０】
【図１】本発明の第１の実施形態における、雨樋取付構造１１の状態を示す一部透視斜視図である。
【図２】本発明の第１の実施形態における、図１のＡ−Ａ一部透視矢視図である。
【図３】本発明の第１の実施形態における、補強斜材１７の一部断面視側面図である。
【図４】本発明の第１の実施形態における、図３のＢ−Ｂ矢視図である。
【図５】本発明の第１の実施形態における、図３のＣ−Ｃ矢視図である。
【図６】本発明の第１の実施形態における、図３のＤ−Ｄ矢視図である。
【図７】本発明の第２の実施形態における、保持部２１ａの側面図である。
【図８】本発明の第２の実施形態における、図７のＥ−Ｅ矢視図である。
【図９】従来の雨樋取付構造の状態を示す、（ａ）は一部断面視側面図、（ｂ）は補強斜材４の詳細と補強斜材４を係止孔３４に取付ける状態の説明図である。
【符号の説明】
【００４１】
１１  雨樋取付構造
１２  雨樋
１３  吊金具
１３ｃ  中央部
１４  折板屋根
１４ａ  山部
１５  吊下手段
１６  垂直材
１６ａ  端部
１６ｂ  雄ネジ部
１７  補強斜材
１７ａ  上端部
１７ｂ  水平部
１７ｃ  下端部
１７ｄ  垂直部
１７e  斜主部材
１８  ナット
２０  固着具
２１  保持部
２２  円弧部
２３  ベース
【図１】
0004775030.tif 000002
【図２】
0004775030.tif 000003
【図３】
0004775030.tif 000004
【図４】
0004775030.tif 000005
【図５】
0004775030.tif 000006
【図６】
0004775030.tif 000007
【図７】
0004775030.tif 000008
【図８】
0004775030.tif 000009
【図９】
0004775030.tif 000010